(57)【要約】  内筒１８ａと、内筒１８ｂと、外筒１３ａと、外筒１３ｂと、内筒１８ａと内筒１８ｂとの間に介在し外筒１３ａの内端面１２を塞ぐ閉塞板２５ａと、内筒１８ａと内筒１８ｂとの間に介在し外筒１３ｂの内端面１２を塞ぐ第２の閉塞板２５ｂと、を備え、閉塞板２５ａには、内筒１８ａ、外筒１３ａ、および閉塞板２５ａに取り囲まれるグリース室２４ａから閉塞板２５ａの機外側に通じる１または複数の通し穴２１が形成され、閉塞板２５ｂには、内筒１８ｂ、外筒１３ｂ、および閉塞板２５ｂに取り囲まれるグリース室２４ｂから閉塞板２５ｂの機外側に通じる１または複数の通し穴２１が形成され、各通し穴２１には、通し穴２１を閉塞する塞栓部材２０が装着されている。
2013035172.tif 000002
【特許請求の範囲】
【請求項１】
駆動軸の軸端に設けられ外歯歯車を有する第１の内筒と、
この外歯歯車に噛み合う内歯歯車を有する第１の外筒と、
被駆動軸の軸端に設けられ外歯歯車を有する第２の内筒と、
この外歯歯車に噛み合う内歯歯車を有する第２の外筒と、
前記第１の内筒と前記第２の内筒との間に介在し、前記第１の外筒と前記第２の外筒とが対向する方向における前記第１の外筒の端面を塞ぐ第１の閉塞板と、
前記第１の内筒と前記第２の内筒との間に介在し、前記方向における前記第２の外筒の端面を塞ぐ第２の閉塞板と、
を備え、
前記第１の閉塞板には、前記第１の内筒、前記第１の外筒、および前記第１の閉塞板に取り囲まれる第１の空間から第１の閉塞板の機外側に通じる１または複数の通し穴が形成され、
前記第２の閉塞板には、前記第２の内筒、前記第２の外筒、および前記第２の閉塞板に取り囲まれる第２の空間から第２の閉塞板の機外側に通じる１または複数の通し穴が形成され、
前記各通し穴には、前記通し穴を閉塞する塞栓部材が装着されることを特徴とするギアカップリング。
【請求項２】
前記第１の閉塞板に設けられた通し穴は、前記第１の外筒の中心軸線が通る位置に形成され、
前記第２の閉塞板に設けられた通し穴は、前記第２の外筒の中心軸線が通る位置に形成されていることを特徴とする請求項１に記載のギアカップリング。
【請求項３】
前記第１の閉塞板に設けられた通し穴は、前記第１の外筒の中心軸線を中心とする同心円上、かつ、この中心軸線に対して互いに対称の位置に複数形成され、
前記第２の閉塞板に設けられた通し穴は、前記第２の外筒の中心軸線を中心とする同心円上、かつ、この中心軸線に対して互いに対称の位置に複数形成されていることを特徴とする請求項１に記載のギアカップリング。
【請求項４】
前記第１の閉塞板に設けられた通し穴は、前記第１の外筒の中心軸線が通る位置に形成され、
前記第２の閉塞板に設けられた通し穴は、前記第２の外筒の中心軸線を中心とする同心円上、かつ、この中心軸線に対して互いに対称の位置に複数形成されていることを特徴とする請求項１に記載のギアカップリング。
【請求項５】
前記第１の閉塞板に設けられた通し穴は、前記第１の外筒の中心軸線を中心とする同心円上、かつ、この中心軸線に対して互いに対称の位置に複数形成され、
前記第２の閉塞板に設けられた通し穴は、前記第２の外筒の中心軸線が通る位置に形成されていることを特徴とする請求項１に記載のギアカップリング。
【請求項６】
前記塞栓部材は、頭部分が皿ネジ状の締結部材であることを特徴とする請求項１に記載のギアカップリング。
【発明の詳細な説明】
【技術分野】
【０００１】
本発明は、機械装置の動力伝達系に適用される歯車形軸継手に関して、特に鉄道車両用の歯車形可撓継手（ギアカップリング）に関する。
【背景技術】
【０００２】
鉄道車両用の駆動装置は、台車枠に設置された電動機と、台車枠に回転可能に設置され両端に車輪が配設された車軸と、電動機および車軸に連結され電動機の回転数を減じて車軸に駆動力を伝達する歯車装置とを有して構成されており、電動機の回転力は、ギアカップリングを介して歯車装置に伝達され、歯車装置によって所定の値に減速される。【０００３】
下記特許文献１に代表される従来のギアカップリングは、電動機の駆動軸の軸端および歯車装置の小歯車軸（被駆動軸）の軸端にそれぞれ設けられた外歯歯車と噛み合う内歯歯車が形成された二つの外筒を同心して複数のボルトで締結することによって、駆動軸と被駆動軸との間にたわみが生じた場合でも確実な動力の伝達が確保できるように構成されている。
【先行技術文献】
【特許文献】
【０００４】
【特許文献１】特開２００６−８３９６２号公報（図１など）
【発明の概要】
【発明が解決しようとする課題】
【０００５】
しかしながら、上記特許文献１に代表される従来技術のギアカップリングでは、内筒と外筒との間に充填された潤滑用のグリースが外歯歯車と内歯歯車との噛み合い部分の僅かな隙間（バックラッシュ）に補充されるため、例えばギアカップリングの点検時に外筒を内筒から引き抜く場合には、噛み合い部分に付着したグリースによって、外筒の引き抜きに伴い噛み合い部分から機内へ流入しようとする空気の流れが妨げられる。また、ギアカップリングの組立時に内筒に外筒を組み合わせる場合にも、噛み合い部分に付着したグリースによって、外筒の組み合わせに伴って噛み合い部分から機外へ排出される空気の流れが妨げられる。このように外筒には、外筒の引き抜きまたは押し込みを妨げるような力が作用するため、外筒を着脱する際には大きな力を要することとなり、ギアカップリングの組立あるいは保守における作業性が悪いという課題があった。【０００６】
本発明は、上記に鑑みてなされたものであって、外筒を容易に着脱することが可能なギアカップリングを得ることを目的とする。
【課題を解決するための手段】
【０００７】
上述した課題を解決し、目的を達成するために、本発明は、駆動軸の軸端に設けられ外歯歯車を有する第１の内筒と、この外歯歯車に噛み合う内歯歯車を有する第１の外筒と、被駆動軸の軸端に設けられ外歯歯車を有する第２の内筒と、この外歯歯車に噛み合う内歯歯車を有する第２の外筒と、前記第１の内筒と前記第２の内筒との間に介在し、前記第１の外筒と前記第２の外筒とが対向する方向における前記第１の外筒の端面を塞ぐ第１の閉塞板と、前記第１の内筒と前記第２の内筒との間に介在し、前記方向における前記第２の外筒の端面を塞ぐ第２の閉塞板と、を備え、前記第１の閉塞板には、前記第１の内筒、前記第１の外筒、および前記第１の閉塞板に取り囲まれる第１の空間から第１の閉塞板の機外側に通じる１または複数の通し穴が形成され、前記第２の閉塞板には、前記第２の内筒、前記第２の外筒、および前記第２の閉塞板に取り囲まれる第２の空間から第２の閉塞板の機外側に通じる１または複数の通し穴が形成され、前記各通し穴には、前記通し穴を閉塞する塞栓部材が装着されることを特徴とする。
【発明の効果】
【０００８】
この発明によれば、二つの外筒が対向する面に介在する閉塞板に、グリース室からこの閉塞板の機外側へ通じる通し穴を設けるようにしたので、外筒を容易に着脱することができるという効果を奏する。
【図面の簡単な説明】
【０００９】
【図１】図１は、本発明の実施の形態にかかるギアカップリングが設置された車両用駆動装置を模式的に示す図である。
【図２】図２は、図１に示されるギアカップリングの斜視図である。
【図３】図３は、図１に示されるギアカップリングの縦断面図である。
【図４】図４は、閉塞板に形成された通し穴の他の実施例を説明するための図である。
【発明を実施するための形態】
【００１０】
以下に、本発明にかかるギアカップリングの実施の形態を図面に基づいて詳細に説明する。なお、この実施の形態によりこの発明が限定されるものではない。
【００１１】
実施の形態．
図１は、本発明の実施の形態にかかるギアカップリング１が設置された車両用駆動装置を模式的に示す図であり、図２は、図１に示されるギアカップリング１の斜視図であり、図３は、図１に示されるギアカップリングの縦断面図である。
【００１２】
図１において、車両用駆動装置は、台車枠２に設置された電動機３と、台車枠２に回転可能に設置され両端に車輪８が設けられた大歯車軸７と、電動機３および大歯車軸７に連結され電動機３の回転数を減じて大歯車軸７に駆動力を伝達する歯車装置６とを含んで構成されている。
【００１３】
電動機３の回転軸である駆動軸４と歯車装置６の小歯車軸である被駆動軸５は、ギアカップリング１により可撓的に連結されている。電動機３の回転トルクは、ギアカップリング１を介して歯車装置６に伝達され、大歯車軸７および車輪８が回転駆動される。
【００１４】
図２および図３において、ギアカップリング１は、主たる構成として、駆動軸４の軸端（図示せず）に設けられ外歯歯車１４を有する内筒１８ａ（第１の内筒）と、この外歯歯車１４に噛み合う内歯歯車１５を有する外筒１３ａ（第１の外筒）と、被駆動軸５の軸端（図示せず）に設けられ外歯歯車１４を有する内筒１８ｂ（第２の内筒）と、この外歯歯車１４に噛み合う内歯歯車１５を有する外筒１３ｂ（第２の外筒）と、内筒１８ａと内筒１８ｂとの間に介在し外筒１３ａと外筒１３ｂとが対向する方向における外筒１３ａの内端面１２を塞ぐ閉塞板２５ａ（第１の閉塞板）と、内筒１８ａと内筒１８ｂとの間に介在し外筒１３ａと外筒１３ｂとが対向する方向における外筒１３ｂの内端面１２を塞ぐ閉塞板２５ｂ（第２の閉塞板）とを有して構成されている。
【００１５】
外筒１３ａおよび外筒１３ｂは、内筒１８ａおよび内筒１８ｂの各々の外周面にて円周方向に沿って配設された外歯歯車１４と噛み合う内歯歯車１５が形成されている。
【００１６】
閉塞板２５ａおよび閉塞板２５ｂは、この内端面１２に向けて螺入される締結部材３０（例えば頭部が皿ネジ状のボルト）によって各々着脱可能に固定される。
【００１７】
内筒１８ａ、外筒１３ａ、および閉塞板２５ａに取り囲まれる空間には、潤滑用のグリースが充填され、以下の説明ではこの空間をグリース室２４ａ（第１の空間）と称する。また、内筒１８ｂ、外筒１３ｂ、および閉塞板２５ｂに取り囲まれる空間も同様に、グリース室２４ｂ（第２の空間）と称する。なお、ギアカップリング１には、駆動軸４と被駆動軸５との間に数ｍｍ以上の芯違いがある場合でも確実な動力の伝達が確保できるように角度的な自在性が求められるため、内歯歯車１５および外歯歯車１４の何れか一方の歯先あるいは歯面にはクラウニングとよばれる加工（歯すじ方向に適度な膨らみをつける加工）が施されている。そして、外歯歯車１４と内歯歯車１５との噛み合い部分には、このグリース室２４ａ、２４ｂからのグリースが補充される。
【００１８】
外筒１３ａ、１３ｂの外周面には、内端面１２側にて外筒１３ａ、１３ｂの回転方向に立設され複数の通し穴２９が形成された内端フランジ２６と、外端面２８側にて外筒１３ａ、１３ｂの回転方向に立設され複数の通し穴３４が形成された外端フランジ２２とが設けられている。例えば、駆動軸４には図３の左側に示される内筒１８ａが取り付けられ、被駆動軸５には図３の右側に示される内筒１８ｂが取り付けられる。各外筒１３ａ、１３ｂを接続する場合、外筒１３ａの中心軸線１９および第２の外筒１３ｂの中心軸線１９を一直線上に揃えた状態で各通し穴２９に締結部材２７（例えばボルト）を挿入する。そして、この締結部材２７を締結することによって、各外筒１３ａ、１３ｂは、電動機３の回転トルクを歯車装置６へ伝達可能に接続される。
【００１９】
外端フランジ２２には、外端フランジ２２に形成された各通し穴３４に挿入される締結部材２３（例えばボルト）によって装着される円環状のカバー１６が配設される。このカバー１６の内周側の端部３１は、外端フランジ２２から中心軸方向に延設され、外歯歯車１４を内包しながら内筒１８ａ、１８ｂの外側側面に形成された溝部３３側へＵ字状に屈曲した形状を成す。
【００２０】
内筒１８ａ、１８ｂには、環状を成し内筒１８ａ、１８ｂの端部に嵌着されカバー１６を外周方向（中心軸線１９から外筒１３ａ、１３ｂに向かう方向）に付勢するシール部材１７が設けられている。従って、カバー１６の折り曲げ部の外面は、シール部材１７で押圧された状態となっている。そのため、ギアカップリング１の内部が密封され、シール性（グリース室２４ａ、２４ｂに充填されたグリースの漏洩や外部からの塵埃の侵入が防止されること）が確保される。また、ギアカップリング１にたわみが生じて内筒１８ａ、１８ｂが外方または内方に動いた場合でも、シール部材１７からの付勢力によってカバー１６とシール部材１７との圧着状態が維持される。
【００２１】
次に、閉塞板２５ａおよび閉塞板２５ｂに関して説明する。閉塞板２５ａには、グリース室２４ａから閉塞板２５ａの機外側に通じる１または複数の通し穴２１が形成され、閉塞板２５ｂにも、グリース室２４ｂから閉塞板２５ｂの機外側に通じる１または複数の通し穴２１が形成される。さらに、各通し穴２１には、通し穴２１を閉塞する塞栓部材２０が装着される。
【００２２】
図２および図３に示される各閉塞板２５ａ、２５ｂには、一例として、中心軸線１９が通る位置に１つの通し穴２１が形成されている。この通し穴２１は、グリース室２４ａ、２４ｂから閉塞板２５ａ、２５ｂの機外側へ流出し、または閉塞板２５ａ、２５ｂからグリース室２４ａ、２４ｂ側へ流入するグリースまたは空気の通流経路である。
【００２３】
塞栓部材２０は、各閉塞板２５ａ、２５ｂ同士が対向する面３２から挿入され、グリース室２４ａ、２４ｂから閉塞板２５ａ、２５ｂの機外側へ流出するグリースまたは空気の通流を阻止すると共に、閉塞板２５ａ、２５ｂの機外側からグリース室２４ａ、２４ｂへ流入する空気の通流を阻止するためのものである。この塞栓部材２０として、例えば頭部が皿ネジ状の締結部材を用いた場合、塞栓部材２０の着脱が容易化されると共に、ギアカップリング１の振動に伴う塞栓部材２０の脱落の可能性を軽減することが可能である。
【００２４】
次に、外筒１３ａ、１３ｂの着脱手順と、塞栓部材２０および通し穴２１の機能を説明する。
【００２５】
最初に、外筒１３ａ、１３ｂを内筒１８ａ、１８ｂに装着する動作に関して説明する。（１）まず、駆動軸４および被駆動軸５にはカバー１６が取り付けられ、その後に駆動軸４の軸端および被駆動軸５の軸端に内筒１８ａ、１８ｂが装着される。また、各外筒１３ａ、１３ｂの内端面１２には、締結部材３０を用いて閉塞板２５ａ、２５ｂが装着され、グリース室２４ａ、２４ｂには、潤滑用グリースが充填される。このとき、通し穴２１には塞栓部材２０が装着されていないものとする。
【００２６】
（２）次に、駆動軸４の軸端および被駆動軸５の軸端に各々装着された内筒１８ａ、１８ｂに外筒１３ａ、１３ｂが組み合わされる。このとき、内筒１８ａ、１８ｂへの外筒１３ａ、１３ｂの組み合わせに伴って、グリース室２４ａ、２４ｂに充填されたグリースおよび空気が、通し穴２１を通じて機外に排出される。なお、従来技術では、閉塞板２５ａ、２５ｂに本実施の形態のような通し穴２１が設けられていないため、内筒１８ａ、１８ｂに外筒１３ａ、１３ｂを組み合わせる際、グリース室２４ａ、２４ｂ内のグリースによって内歯歯車１５と外歯歯車１４との噛み合い部分の隙間が塞がれるため、外筒１３ａ、１３ｂの組み合わせに伴って噛み合い部分から機外へ排出されるグリースまたは空気の流れが妨げられる。従って、外筒１３ａ、１３ｂには押し込みを妨げるような力が作用するため、大きな力を加えなければ内筒１８ａ、１８ｂに外筒１３ａ、１３ｂを組み合わせることが困難であった。本発明の本実施の形態にかかる閉塞板２５ａ、２５ｂには、グリース室２４ａ、２４ｂからこの閉塞板２５ａ、２５ｂの機外側へ通じる通し穴２１が形成されているため、内筒１８ａ、１８ｂへの外筒１３ａ、１３ｂの組み合わせに伴って、グリース室２４ａ、２４ｂに充填されたグリースおよび空気が、この通し穴２１を通じて機外に排出されるため、大きな力を加えなくとも内筒１８ａ、１８ｂに外筒１３ａ、１３ｂを組み合わせることが可能である。
【００２７】
（３）内筒１８ａ、１８ｂへの外筒１３ａ、１３ｂ組み合わせが完了した後、通し穴２１には塞栓部材２０が装着され、外端フランジ２２にはカバー１６が装着される。そして、塞栓部材２０が装着された後、各外筒１３ａ、１３ｂが締結部材２７によって接続される。
【００２８】
なお、締結部材２７によって各外筒１３ａ、１３ｂが接続されるため、塞栓部材２０で通し穴２１を塞ぐ必要がないようにも思われるが、通し穴２１を塞ぐ理由は、一方のグリース室２４ａ、２４ｂから他方のグリース室２４ａ、２４ｂへのグリースまたは空気の通流が阻止されるため、各グリース室２４ａ、２４ｂによるダンパー効果（回転に伴って外筒１３ａ、１３ｂと内筒１８ａ、１８ｂとの間に生じる振動を抑制する効果）を期待できるからである。
【００２９】
次に、内筒１８ａ、１８ｂから外筒１３ａ、１３ｂを取り外す動作に関して説明する。（１）まず、各締結部材２７を取り外して各外筒１３ａ、１３ｂを分離して、塞栓部材２０を取り外すことが可能な空間を確保する。その後、通し穴２１から塞栓部材２０が取り外され、外端面２８に装着されていたカバー１６も取り外される。
【００３０】
（２）次に、内筒１８ａ、１８ｂから外筒１３ａ、１３ｂが引き抜かれるわけであるが、このとき、外筒１３ａ、１３ｂの引き抜きに伴って、閉塞板２５ａ、２５ｂの機外側の空気が通し穴２１を通じてグリース室２４ａ、２４ｂに流入する。なお、従来技術では、閉塞板２５ａ、２５ｂに本実施の形態のような通し穴２１が設けられていないため、外筒１３ａ、１３ｂを引き抜く際に、内歯歯車１５と外歯歯車１４との噛み合い部分の隙間に付着したグリースによって、外筒１３ａ、１３ｂの引き抜きに伴ってこの噛み合い部分から機内へ流入しようとする空気の流れが妨げられる。従って、外筒１３ａ、１３ｂには引き抜きを妨げるような力が作用するため、従来技術では、大きな力を加えなければ外筒１３ａ、１３ｂを内筒１８ａ、１８ｂから引き抜くことが困難であった。本発明の本実施の形態にかかる閉塞板２５ａ、２５ｂには、閉塞板２５ａ、２５ｂの機外側からグリース室２４ａ、２４ｂへ通じる通し穴２１が形成されているため、外筒１３ａ、１３ｂの取り外しに伴って、機外の空気が、この通し穴２１を通じてグリース室２４ａ、２４ｂに流入するため、大きな力を加えなくとも外筒１３ａ、１３ｂを引き抜くことが可能である。
【００３１】
このように、ギアカップリング１の閉塞板２５ａには、外筒１３ａの中心軸線１９が通る位置に通し穴２１が形成され、またギアカップリング１の閉塞板２５ｂには、外筒１３ｂの中心軸線１９が通る位置に通し穴２１が形成されているので、ギアカップリング１を容易に分解することが可能である。
【００３２】
なお、この通し穴２１の代わりに、以下のような通し穴を設けてもよい。図４は、閉塞板２５ａ、２５ｂに形成された通し穴２１の他の実施例を説明するための図である。図４に示される閉塞板２５ａ、２５ｂには、中心軸線１９を中心とする同心円上、かつ、この中心軸線１９に対して互いに対称の位置に設けられた複数（例えば３つ）の通し穴２１ａが形成されている。なお、図４に示すように複数の通し穴２１ａを設けた場合、各通し穴２１ａには塞栓部材２０がそれぞれ装着されるものとする。
【００３３】
このように、複数の通し穴２１ａを対称位置に設けることによって、閉塞板２５ａ、２５ｂの周上バランスの均一化が図られ、ギアカップリング１の振動を抑えることができる。また、各通し穴２１ａに通流する空気またはグリースの通流量は、１つの通し穴２１を通流する空気またはグリースの通流量より多いため、外筒１３ａ、１３ｂの着脱作業性のより一層の向上を図ることが可能である。
【００３４】
なお、上記説明では、外筒１３ａ、１３ｂの中心軸線１９が通る位置に通し穴２１が１つ形成され、または、この中心軸線１９を中心とする同心円上、かつ、この中心軸線１９に対して互いに対称の位置に通し穴２１が複数形成されている例を説明したが、通し穴２１の位置は、これに限定されるものではない。例えば、外筒１３ａ、１３ｂの中心軸線１９が通る位置よりも外周側の任意の位置に１または複数の通し穴２１を設けてもよい。この場合、通し穴２１の加工および塞栓部材２０の取り付けに伴う閉塞板２５ａ、２５ｂの周上バランスがやや低下するものの、従来技術に比べて外筒１３ａ、１３ｂを容易に着脱することが可能である。
【００３５】
なお、本実施の形態では、閉塞板２５ａに設けられた通し穴２１と閉塞板２５ｂに設けられた通し穴２１を、何れも外筒１３ｂの中心軸線１９が通る位置に形成した例、または、何れも中心軸線１９を中心とする同心円上、かつ、この中心軸線１９に対して互いに対称の位置に複数形成した例を説明したが、これに限定されるものではなく、以下のように構成してもよい。
【００３６】
例えば、閉塞板２５ａに設けられた通し穴２１は、外筒１３ａの中心軸線１９が通る位置に形成され、閉塞板２５ｂに設けられた通し穴２１は、外筒１３ｂの中心軸線１９を中心とする同心円上、かつ、この中心軸線１９に対して互いに対称の位置に複数形成されるようにしてもよい。
【００３７】
また、閉塞板２５ａに設けられた通し穴２１は、外筒１３ａの中心軸線１９を中心とする同心円上、かつ、この中心軸線１９に対して互いに対称の位置に複数形成され、閉塞板２５ｂに設けられた通し穴２１は、外筒１３ｂの中心軸線１９が通る位置に形成されるようにしてもよい。
【００３８】
なお、塞栓部材２０は、頭部が皿ネジ状の締結部材に限定されるものではなく、通し穴２１を塞ぐことが可能であり、かつ、各外筒１３ａ、１３ｂを接続した際に閉塞板２５ａ、２５ｂが対向する面３２に隙間が生じない形状ものであればよく、締結部材以外であってもよい。また、塞栓部材２０は、グリース室２４ａ、２４ｂへの侵入が許されないため、例えば金属製の固定物が望ましい。
【００３９】
なお、本実施の形態にかかる通し穴２１は、グリース室２４ａ、２４ｂ内のグリースまたは空気を閉塞板２５ａ、２５ｂの機外側に通し、かつ、閉塞板２５ａ、２５ｂの機外側の空気をグリース室２４ａ、２４ｂ内に通す可逆的な穴であり、不可逆的な穴ではない。不可逆的な穴とは、例えば、閉塞板２５ａ、２５ｂの機外側からグリース室２４ａ、２４ｂ内にグリースを充填することが可能であり、かつ、グリース室２４ａ、２４ｂに充填されたグリースが機外へ流出することを抑制可能に構成された穴のことである。すなわち、本実施の形態にかかる通し穴２１を、不可逆的な穴で構成した場合、例えば、内筒１８ａ、１８ｂから外筒１３ａ、１３ｂを取り外す際には、大きな力を加えなくとも外筒１３ａ、１３ｂを引き抜くことができるものの、内筒１８ａ、１８ｂへ外筒１３ａ、１３ｂを組み合わせる際には、大きな力を加えなければ外筒１３ａ、１３ｂを組み合わせることができないという事象が生じる。本実施の形態にかかる通し穴２１は不可逆的な穴ではないため、大きな力を加えなくとも外筒１３ａ、１３ｂを引き抜くことが可能であり、かつ、外筒１３ａ、１３ｂを組み合わせることも可能である。
【００４０】
以上に説明したように、実施の形態にかかるギアカップリング１は、駆動軸４の軸端に設けられ外歯歯車１４を有する第１の内筒（内筒１８ａ）と、この外歯歯車１４に噛み合う内歯歯車１５を有する第１の外筒（外筒１３ａ）と、被駆動軸５の軸端に設けられ外歯歯車１４を有する第２の内筒（内筒１８ｂ）と、この外歯歯車１４に噛み合う内歯歯車１５を有する第２の外筒（外筒１３ｂ）と、内筒１８ａと内筒１８ｂとの間に介在し、外筒１３ａと外筒１３ｂとが対向する方向における外筒１３ａの内端面１２を塞ぐ第１の閉塞板（閉塞板２５ａ）と、内筒１８ａと内筒１８ｂとの間に介在し、外筒１３ａと外筒１３ｂとが対向する方向における外筒１３ｂの内端面１２を塞ぐ第２の閉塞板（閉塞板２５ｂ）と、を備え、閉塞板２５ａには、内筒１８ａ、外筒１３ａ、および閉塞板２５ａに取り囲まれる第１の空間（グリース室２４ａ）から閉塞板２５ａの機外側に通じる１または複数の通し穴２１が形成され、閉塞板２５ｂには、内筒１８ｂ、外筒１３ｂ、および閉塞板２５ｂに取り囲まれる第２の空間（グリース室２４ｂ）から閉塞板２５ｂの機外側に通じる１または複数の通し穴２１が形成され、内筒１８ａ、１８ｂに外筒１３ａ、１３ｂを組み合わせる際、グリース室２４ａ、２４ｂに充填されたグリースおよび空気が、この通し穴２１を通じて機外に排出されるため、大きな力を加えなくとも外筒１３ａ、１３ｂを組み合わせることが可能である。また、内筒１８ａ、１８ｂから外筒１３ａ、１３ｂを取り外す際、機外の空気が、この通し穴２１を通じてグリース室２４ａ、２４ｂに流入するため、大きな力を加えなくとも外筒１３ａ、１３ｂを引き抜くことが可能である。
【００４１】
なお、本実施の形態では、ギアカップリング１を車両用駆動装置に適用した例を説明しているが、このギアカップリング１は、自動車や航空機などの乗り物に内蔵される動力伝達機構にも適用可能である。
【００４２】
また、本実施の形態にかかるギアカップリング１は、本発明の内容の一例を示すものであり、更なる別の公知技術と組み合わせることも可能であるし、本発明の要旨を逸脱しない範囲で、一部を省略する等、変更して構成することも可能であることは無論である。
【産業上の利用可能性】
【００４３】
以上のように、本発明は、主に機械装置の動力伝達系に適用される歯車形軸継手に適用可能であり、特に、外筒を容易に着脱することが可能な発明として有用である。
【符号の説明】
【００４４】
１  ギアカップリング
２  台車枠
３  電動機
４  駆動軸
５  被駆動軸
６  歯車装置
７  大歯車軸
８  車輪
１２  内端面
１３ａ  外筒（第１の外筒）
１３ｂ  外筒（第２の外筒）
１４  外歯歯車
１５  内歯歯車
１６  カバー
１７  シール部材
１８ａ  内筒（第１の内筒）
１８ｂ  内筒（第２の内筒）
１９  中心軸線
２０  塞栓部材
２１、２１ａ、２９、３４  通し穴
２２  外端フランジ
２３、２７、３０  締結部材
２４ａ  グリース室（第１の空間）
２４ｂ  グリース室（第２の空間）
２５ａ  閉塞板（第１の閉塞板）
２５ｂ  閉塞板（第２の閉塞板）
２６  内端フランジ
２８  外端面
３３  溝部
３１  端部
３２  各閉塞板が対向する面
【図１】
2013035172.tif 000003
【図２】
2013035172.tif 000004
【図３】
2013035172.tif 000005
【図４】
2013035172.tif 000006
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
駆動軸の軸端に設けられ外歯歯車を有する第１の内筒と、
この外歯歯車に噛み合う内歯歯車を有する第１の外筒と、
被駆動軸の軸端に設けられ外歯歯車を有する第２の内筒と、
この外歯歯車に噛み合う内歯歯車を有する第２の外筒と、
前記第１の内筒と前記第２の内筒との間に介在し、前記第１の外筒と前記第２の外筒とが対向する方向における前記第１の外筒の端面を塞ぐ第１の閉塞板と、
前記第１の内筒と前記第２の内筒との間に介在し、前記方向における前記第２の外筒の端面を塞ぐ第２の閉塞板と、
を備え、
前記第１の閉塞板には、前記第１の内筒、前記第１の外筒、および前記第１の閉塞板に取り囲まれる第１の空間から第１の閉塞板の機外側に通じる１または複数の可逆的な通し穴が形成され、
前記第２の閉塞板には、前記第２の内筒、前記第２の外筒、および前記第２の閉塞板に取り囲まれる第２の空間から第２の閉塞板の機外側に通じる１または複数の可逆的な通し穴が形成され、
前記第１の閉塞板に形成される前記通し穴には、前記第１の閉塞板と前記第２の閉塞板とが対向する面に螺入され前記通し穴を閉塞する塞栓部材が装着され、
前記第２の閉塞板に形成される前記通し穴には、前記第１の閉塞板と前記第２の閉塞板とが対向する面に螺入され前記通し穴を閉塞する塞栓部材が装着されることを特徴とするギアカップリング。
【請求項２】
前記第１の閉塞板に設けられた通し穴は、前記第１の外筒の中心軸線が通る位置に形成され、
前記第２の閉塞板に設けられた通し穴は、前記第２の外筒の中心軸線が通る位置に形成されていることを特徴とする請求項１に記載のギアカップリング。
【請求項３】
前記第１の閉塞板に設けられた通し穴は、前記第１の外筒の中心軸線を中心とする同心円上、かつ、この中心軸線に対して互いに対称の位置に複数形成され、
前記第２の閉塞板に設けられた通し穴は、前記第２の外筒の中心軸線を中心とする同心円上、かつ、この中心軸線に対して互いに対称の位置に複数形成されていることを特徴とする請求項１に記載のギアカップリング。
【請求項４】
前記第１の閉塞板に設けられた通し穴は、前記第１の外筒の中心軸線が通る位置に形成され、
前記第２の閉塞板に設けられた通し穴は、前記第２の外筒の中心軸線を中心とする同心円上、かつ、この中心軸線に対して互いに対称の位置に複数形成されていることを特徴とする請求項１に記載のギアカップリング。
【請求項５】
前記第１の閉塞板に設けられた通し穴は、前記第１の外筒の中心軸線を中心とする同心円上、かつ、この中心軸線に対して互いに対称の位置に複数形成され、
前記第２の閉塞板に設けられた通し穴は、前記第２の外筒の中心軸線が通る位置に形成されていることを特徴とする請求項１に記載のギアカップリング。
【請求項６】
前記塞栓部材は、頭部分が皿ネジ状の締結部材であることを特徴とする請求項１に記載のギアカップリング。
【手続補正２】
【補正対象書類名】明細書
【補正対象項目名】０００７
【補正方法】変更
【補正の内容】
【０００７】
上述した課題を解決し、目的を達成するために、本発明は、駆動軸の軸端に設けられ外歯歯車を有する第１の内筒と、この外歯歯車に噛み合う内歯歯車を有する第１の外筒と、被駆動軸の軸端に設けられ外歯歯車を有する第２の内筒と、この外歯歯車に噛み合う内歯歯車を有する第２の外筒と、前記第１の内筒と前記第２の内筒との間に介在し、前記第１の外筒と前記第２の外筒とが対向する方向における前記第１の外筒の端面を塞ぐ第１の閉塞板と、前記第１の内筒と前記第２の内筒との間に介在し、前記方向における前記第２の外筒の端面を塞ぐ第２の閉塞板と、を備え、前記第１の閉塞板には、前記第１の内筒、前記第１の外筒、および前記第１の閉塞板に取り囲まれる第１の空間から第１の閉塞板の機外側に通じる１または複数の可逆的な通し穴が形成され、前記第２の閉塞板には、前記第２の内筒、前記第２の外筒、および前記第２の閉塞板に取り囲まれる第２の空間から第２の閉塞板の機外側に通じる１または複数の可逆的な通し穴が形成され、前記第１の閉塞板に形成される前記通し穴には、前記第１の閉塞板と前記第２の閉塞板とが対向する面に螺入され前記通し穴を閉塞する塞栓部材が装着され、前記第２の閉塞板に形成される前記通し穴には、前記第１の閉塞板と前記第２の閉塞板とが対向する面に螺入され前記通し穴を閉塞する塞栓部材が装着されることを特徴とする。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
電動機の回転軸である駆動軸の軸端に設けられ外歯歯車を有する第１の内筒と、
この外歯歯車に噛み合う内歯歯車を有する第１の外筒と、
歯車装置の小歯車軸である被駆動軸の軸端に設けられ外歯歯車を有する第２の内筒と、
この外歯歯車に噛み合う内歯歯車を有する第２の外筒と、
前記第１の内筒と前記第２の内筒との間に介在し、前記第１の外筒と前記第２の外筒とが対向する方向における前記第１の外筒の端面を塞ぐ第１の閉塞板と、
前記第１の内筒と前記第２の内筒との間に介在し、前記方向における前記第２の外筒の端面を塞ぐ第２の閉塞板と、
を備え、
前記第１の閉塞板には、前記第１の内筒、前記第１の外筒、および前記第１の閉塞板に取り囲まれる第１の空間から第１の閉塞板の機外側に通じる１または複数の可逆的な通し穴が形成され、
前記第２の閉塞板には、前記第２の内筒、前記第２の外筒、および前記第２の閉塞板に取り囲まれる第２の空間から第２の閉塞板の機外側に通じる１または複数の可逆的な通し穴が形成され、
前記第１の閉塞板に形成される前記通し穴には、前記第１の閉塞板と前記第２の閉塞板とが対向する面に螺入され前記通し穴を閉塞する塞栓部材が装着され、
前記第２の閉塞板に形成される前記通し穴には、前記第１の閉塞板と前記第２の閉塞板とが対向する面に螺入され前記通し穴を閉塞する塞栓部材が装着され、
前記第１の閉塞板に装着される塞栓部材は、この塞栓部材のねじ部の先端が前記第１の閉塞板と前記第１の空間との境界よりも第１の閉塞板側に位置し、
前記第２の閉塞板に装着される塞栓部材は、この塞栓部材のねじ部の先端が前記第２の閉塞板と前記第２の空間との境界よりも第２の閉塞板側に位置することを特徴とする鉄道車両用のギアカップリング。
【請求項２】
前記第１の閉塞板に設けられた通し穴は、前記第１の外筒の中心軸線が通る位置に形成され、
前記第２の閉塞板に設けられた通し穴は、前記第２の外筒の中心軸線が通る位置に形成されていることを特徴とする請求項１に記載の鉄道車両用のギアカップリング。
【請求項３】
前記第１の閉塞板に設けられた通し穴は、前記第１の外筒の中心軸線を中心とする同心円上、かつ、この中心軸線に対して互いに対称の位置に複数形成され、
前記第２の閉塞板に設けられた通し穴は、前記第２の外筒の中心軸線を中心とする同心円上、かつ、この中心軸線に対して互いに対称の位置に複数形成されていることを特徴とする請求項１に記載の鉄道車両用のギアカップリング。
【請求項４】
前記第１の閉塞板に設けられた通し穴は、前記第１の外筒の中心軸線が通る位置に形成され、
前記第２の閉塞板に設けられた通し穴は、前記第２の外筒の中心軸線を中心とする同心円上、かつ、この中心軸線に対して互いに対称の位置に複数形成されていることを特徴とする請求項１に記載の鉄道車両用のギアカップリング。
【請求項５】
前記第１の閉塞板に設けられた通し穴は、前記第１の外筒の中心軸線を中心とする同心円上、かつ、この中心軸線に対して互いに対称の位置に複数形成され、
前記第２の閉塞板に設けられた通し穴は、前記第２の外筒の中心軸線が通る位置に形成されていることを特徴とする請求項１に記載の鉄道車両用のギアカップリング。
【請求項６】
前記塞栓部材は、頭部分が皿ネジ状の締結部材であることを特徴とする請求項１に記載の鉄道車両用のギアカップリング。
【手続補正２】
【補正対象書類名】明細書
【補正対象項目名】０００７
【補正方法】変更
【補正の内容】
【０００７】
上述した課題を解決し、目的を達成するために、本発明は、電動機の回転軸である駆動軸の軸端に設けられ外歯歯車を有する第１の内筒と、この外歯歯車に噛み合う内歯歯車を有する第１の外筒と、歯車装置の小歯車軸である被駆動軸の軸端に設けられ外歯歯車を有する第２の内筒と、この外歯歯車に噛み合う内歯歯車を有する第２の外筒と、前記第１の内筒と前記第２の内筒との間に介在し、前記第１の外筒と前記第２の外筒とが対向する方向における前記第１の外筒の端面を塞ぐ第１の閉塞板と、前記第１の内筒と前記第２の内筒との間に介在し、前記方向における前記第２の外筒の端面を塞ぐ第２の閉塞板と、を備え、前記第１の閉塞板には、前記第１の内筒、前記第１の外筒、および前記第１の閉塞板に取り囲まれる第１の空間から第１の閉塞板の機外側に通じる１または複数の可逆的な通し穴が形成され、前記第２の閉塞板には、前記第２の内筒、前記第２の外筒、および前記第２の閉塞板に取り囲まれる第２の空間から第２の閉塞板の機外側に通じる１または複数の可逆的な通し穴が形成され、前記第１の閉塞板に形成される前記通し穴には、前記第１の閉塞板と前記第２の閉塞板とが対向する面に螺入され前記通し穴を閉塞する塞栓部材が装着され、前記第２の閉塞板に形成される前記通し穴には、前記第１の閉塞板と前記第２の閉塞板とが対向する面に螺入され前記通し穴を閉塞する塞栓部材が装着され、前記第１の閉塞板に装着される塞栓部材は、この塞栓部材のねじ部の先端が前記第１の閉塞板と前記第１の空間との境界よりも第１の閉塞板側に位置し、前記第２の閉塞板に装着される塞栓部材は、この塞栓部材のねじ部の先端が前記第２の閉塞板と前記第２の空間との境界よりも第２の閉塞板側に位置することを特徴とする。
【国際調査報告】
2013035172.tif 000007
2013035172.tif 000008
2013035172.tif 000009
2013035172.tif 000010